(57)【特許請求の範囲】
【請求項１】
電気雷管式砲弾供給シュートを包被する電磁波シールドカバーであって、該カバーは、可撓性材料製のアウタースキンとインナースキンの間に金網を介在させてなる上下の波板部材と左右の側面波板部材を各部材の接合部を縫製或いは接着して箱型蛇腹状構造としたことを特徴とする電磁波シールドカバー。
【請求項２】
金網と可撓性材料製のインナースキンとは接着剤を介して又は介さずして波板状に一体成形されていることを特徴とする請求項１記載の電磁波シールドカバー。
【請求項３】
電磁波シールドカバーは、ファスナーによって該カバーを開閉できるようにしたことを特徴とする請求項１又は請求項２記載の電磁波シールドカバー。
【発明の詳細な説明】
【０００１】
【産業上の利用分野】
本発明は、防衛装備品に関し、特に航空機、艦船および車両に搭載される機関銃または機関砲の電気雷管式砲弾を弾箱から弾倉へ供給する際の砲弾の暴発事故を防止する器具に関する。
【０００２】
【従来の技術】
本技術の背景の例として、図４に艦艇に搭載する２０mm機関砲の概略を示す。１は砲身で、２０mm口径で複数本を円環状に配設したバルカン砲である。２は砲身１から発射する砲弾を弾箱３から弾倉へ供給するための伸縮自在で曲げや捩りの状態でも搬送に支障をきたさないフレキシブルシュートと呼ばれる砲弾供給シュートである。弾箱３には常時機関砲へ供給する為の砲弾が貯蔵されている。４は制御装置で全体の統制制御を行なう。５はシュート収納口であって、フレキシブルシュート２が砲弾の搬送をしないときにフレキシブルシュート２を収納するための弾倉側接続部２ａの収納口である。７はドライブユニットで、制御装置４からの制御により機関砲を駆動する為の動力源である。８は弾倉口で、フレキシブルシュート２の弾倉側接続部２ａを接続し、弾箱からの砲弾を弾倉へ受け入れる。９は機関砲本体で弾倉、薬室、発火装置を内蔵し、ドライブユニット７の上部に設置されており、ドライブユニット７から動力を受け、砲身１を駆動し、砲弾の装填、発射を行なう。１０はレーダーで、機関砲本体９上部に配設され、砲弾の発射目標を捕捉し、情報を制御装置４へ伝達する。６は台座で制御装置４、ドライブユニット７を図示しない艦艇の鋼板へ固定するための接続部である。
【０００３】
機関砲の作動状態は全自動であり、スイッチを入れると自動的に索敵・発砲を行なう。まず、レーダー１０により索敵し、その情報を制御装置４に伝達し、制御装置４は演算し必要な命令をドライブユニット７および機関砲本体９へ与え、砲身１から発砲する。
発砲態勢にあるときは、フレキシブルシュート２の接続位置は図４とは異なり、弾倉側接続部２ａがシュート収納口５に挿入されフレキシブルシュート２と機関砲本体９とは切り離されている。機関砲本体９の弾倉内の砲弾が撃ち尽くされると、操作員の人力によって弾倉側接続部２ａをシュート収納口５からはずし、弾倉口８へ装着する。弾箱３内の砲弾をフレキシブルシュート２を経由して機関砲本体９内の弾倉へ充填する。完了後ふたたび弾倉側接続部２ａを弾倉口８からはずし、シュート収納口５へ装着する。
【０００４】
次に２０mm砲弾を図５に示す。一般に弾丸の発射方法にはパーカッション式と電気発火式があるが、本発明は電気発火式による場合である。図５は電気発火式２０mm砲弾の断面図である。弾丸１２は紡錘形の金属で、薬莢１３は底部を閉塞した円筒状の金属で、内部には発射薬１４が充填されており、弾丸１２は薬莢１３の開口部にかしめ付けされている。そして、薬莢１３の底部中央に電気雷管１５が装着されている。
【０００５】
電気雷管１５の詳細を図６に示す。円筒形のカップ１８は端部に蓋１６を設けて発射薬１４側を閉塞し、内部に爆粉１７を充填し、他端部には円筒形の絶縁体１９を介して金属性の電気接続部２０を装着して閉塞している。
【０００６】
弾丸１２を発射するには、機関砲本体９内の弾倉に充填された２０mm砲弾を薬室に装填し、発射装置の電気接点が電気雷管１５の電気接続部２０に接触し、薬莢１３と電気接続部２０との間に電位差が生じ爆粉１７の電気抵抗により爆粉１７が発熱着火し、発射薬１４に引火、起爆し、高圧ガスを発生して、弾丸１２は砲身１より発射される。
【０００７】
ところで、防衛装備品はレーダーや無線機やその他の電気装置により、相当強力な電磁波を発生しており、なかでも高周波は電気雷管１５内の爆粉１７を不用意に着火させる可能性があり、弾箱３から機関砲本体９へ２０mm砲弾がフレキシブルシュート２内を通過する時、周囲の電磁波により２０mm砲弾が暴発する危険な環境におかれている。
【０００８】
従来、このような暴発を防止する手段としてフレキシブルシュートの使用時はレーダその他高周波を発生する機器の電源を切って対応していた。
【０００９】
【発明が解決しようとする課題】
本発明は、電気雷管式砲弾が弾箱３から機関砲本体９へフレキシブルシュート２によって移送される時、防衛装備品の発する強い電磁波を遮り、砲弾の暴発を防止し、かつフレキシブルシュート２の機能を損なわない器具を提供することを目的とする。
【００１０】
【課題を解決するための手段】
電気雷管式砲弾供給シュートを包被する電磁波シールドカバーであって、該カバーは、可撓性材料製のアウタースキンとインナースキンの間に金網を介在させてなる上下の波板部材と左右の側面波板部材を各部材の接合部を縫製又は接着して箱型蛇腹状構造としたことを特徴とする電磁波シールドカバー。
【００１１】
【実施例】
フレキシブルシュートそのものは公知であって、図７にその全体の概略斜視図を示す。弾倉側接続部２ａは鋼材の溶接構造による匡体で、図示しない弾倉との固定・解除機構を具備しており、シールドカバー２２取付け用のねじ穴２ｄとを有する。フレキシブルシュート本体部分２ｂは金属部片とピンを複雑に絡み合わせ、スライド・回転が可能な構造で、伸縮、曲げ、捩りに対して柔軟に形態が対応できる。フレキシブルシュート２の弾箱側接続部２ｃ近傍にシールドカバー２２固定用のホック２ｅを有する。弾箱側接続部２ｃは、鋼材の溶接構造による匡体で図示しない弾箱との固定・解除機構を有する。
【００１２】
図８にフレキシブルシュート２のＡーＡ断面図を示す。フレキシブルシュート２は上下２層に区切られており、内部にはエレメントコンベヤ２１が内蔵されている。エレメントコンベヤ２１は円筒を長手方向に切断した半円筒形の砲弾把持部２１ａと、フレキシブルシュート２の溝２ｆと係合する突起部２１ｂとを備え、フレキシブルシュート２内を移動する。
【００１３】
図９は、図７のＢーＢ断面図である。砲弾把持部２１ａは、連結部２１ｃによって接続されフレキシブルシュート２の上下層内を仕切部の溝２ｆを案内として周回する。２０mm砲弾は図示しない弾箱３と接続した弾箱側接続部２ｃから供給されて、砲弾把持部２１ａに受け渡される。また、エレメントコンベヤ２１は動力装置に連結されたスプロケット２１ｄの駆動により、フレキシブルシュート２上層を通って弾倉側接続部２ａへと砲弾把持部２１ａが２０mm砲弾を移送する。弾倉側接続部２ａに到達した２０mm砲弾は、図示しない弾倉側の機構によりエレメントコンベヤ２１から受け渡される。
【００１４】
図１に本発明のシールドカバー２２の全体構造を示す。シールドカバー２２は、フレキシブルシュート２を被包しうる内形を有し、一端部の弾倉側取付部２２ａは、角筒形状で、中央部の蛇腹部２２ｂは辺部を凹凸形状とし、かつ凹凸形状にあわせた波型として余裕を持たせ、他端部の弾箱側取付部２２ｃは再び角筒形状を有する。弾倉側取付部２２ａは鋼板製の取付ブラケット２２ｄ部を突出し、この取付ブラケット２２ｄの孔にボルトを通し、弾倉側接続部２ａのボルト穴２ｄに固定する。また、ホック２２ｅはホック２ｅに固定する。なお、装着・取り外しはファスナー２２ｆによってシールドカバー２２を開放して行なう。
【００１５】
図２にシールドカバーの構成部材を示す。（ａ）はシールドカバーの上面及び下面を構成する同一形状の上下波板部材２３、２３である。（ｂ）はシールドカバーの左右両側面部を構成する同一形状の側面波板部材２４、２４である。そして、これらの部材は両端部以外は蛇腹構造となるように凹凸状に裁断されている。そして、これらの部材２３、２４の詳細構造は図３（ａ）に示すように外層となるアウタースキン２５、内層となるインナースキン２７はそれぞれ０．５mm〜０．６mm厚のゴムまたはゴム引き布からなり、中間層となる金網２６は線径０．１mm、８０メッシュのＳＵＳ３０４を使用している。必要に応じ補強材としてアウタースキン２５の内側に０．５〜１mm厚のＣＲゴムシート２５´を使用すると効果的である。なお、アウタースキン２５、インナースキン２７の材料としてゴムの他に高密度ポリエチレン、軟質塩化ビニール等の軟質プラスチックを使用してもよい。
【００１６】
上下波板部材２３、２３及び側面波板部材２４、２４を蛇腹形状に成形するには図３（ｂ）に示すように、波型に凹凸を施した上金型とこれと嵌合する下金型間に金網２６とインナースキン２７を予め両者の接合面に接着剤を塗布して挟み込みプレスすることにより金網２６とインナースキン２７は波型に一体成形される。そして、アウタースキン２５、（必要に応じて中間層となるＣＲゴムシート２５´）金網２６、インナースキン２７からなる上下波板部材２３、２３、側面波板部材２４、２４の各接合辺を縫い合わせ又は接着することにより箱形蛇腹形状のシールドカバーが作成される。
【００１７】
【作用】
図３（ａ）に示すように３層構造をしたシールドカバー２２をフレキシブルシュート２に装着することにより、フレキシブルシュート２を使用して、弾箱３から弾倉に２０mm砲弾を供給する際にレーダー１０等の出す電磁波がシールドカバー２２の金網２６により遮断され、２０mm砲弾に電磁波が到達しにくい。
本実施例では２０mm砲弾について説明したが３０mm等他の口径の砲弾にも適用できることは云うまでもない。
【００１８】
【発明の効果】
本発明により、周波数１０〜５０ＭＨｚにおいて６０〜６１ｄＢの減衰度が確認された。したがって、フレキシブルシュート２内での電磁波による砲弾の暴発を防止することが可能となった。
アウタースキン２５によりシールドカバーの剛性を向上する効果があり、金網２６の表面を衝撃、摩擦等から保護し、屋外の紫外線、高温低温、風雨、潮、砂等から保護し、耐候性、防塵性、耐久性能を向上させる。アウタースキン２５と金網２６とは互いに接着していないので適度な柔軟性および追従性をうることができる。また、アウタースキン２５と金網２６の間にＣＲゴムシートを介在させることによりシールドカバーを一段と補強することができる。
インナースキン２７と金網２６が一体的に接着されているため、金網２６を過度に塑性変形させることがなく、また金網２６がむき出しになっていないのでフレキシブルシュート２に直に接触することがなく、金網２６の破損を防止するとともに、金網２６の破片がフレキシブルシュートの本体部分２ｂの金属部片やピンの隙間に侵入し絡まりフレキシブルシュート２の可撓性を損なったり、砲弾に接触して供給を阻害したりすることがない。
【００１９】
【図面の簡単な説明】
【図１】本発明のシールドカバーの斜視図。
【図２】本発明のシールドカバーの部品図。（ａ）は上下波板部材、（ｂ）は側面波板部材を表わす。
【図３】本発明のシールドカバーの波板部材の断面図と金型による製造方法を表わしており、（ａ）は波板部材の断面図。（ｂ）は製造工程の説明図。
【図４】従来の２０mm機関砲の斜視図
【図５】２０mm機関砲弾の断面図
【図６】電気雷管の断面図
【図７】フレキシブルシュートの斜視図
【図８】図７のフレキシブルシュートのＡＡ断面図
【図９】図７のフレキシブルシュートのＢＢ断面図
【符号の説明】
１    砲身
２    フレキシブルシュート
２ａ  弾倉側接続部
２ｂ  フレキシブルシュート本体
２ｃ  弾箱側接続部
２ｄ  ボルト穴
２ｅ  ホック
２ｆ  溝
３    弾箱
４    制御装置
５    シュート収納口
６    台座
７    ドライブユニット
８    弾倉口
９    機関砲本体
１０  レーダー
１１  ２０mm砲弾
１２  弾丸
１３  薬莢
１４  発射薬
１５  電気雷管
１６  蓋
１７  爆粉
１８  カップ
１９  絶縁体
２０  電気接続部
２１  エレメントコンベヤ
２１ａ砲弾把持部
２１ｂ突起部
２１ｃ連結部
２１ｄスプロケット
２２  シールドカバー
２２ａ弾倉側接続部
２２ｂ蛇腹部
２２ｃ弾箱側接続部
２２ｄ取付ブラケット
２２ｅホック
２２ｆファスナー
２３  上下波板部材
２４  側面波板部材
２５  アウタースキン
２５´ＣＲゴムシート
２６  金網
２７  インナースキン
２８  上金型
２９  下金型
【図１】
0003650638.tif 000002
【図２】
0003650638.tif 000003
【図３】
0003650638.tif 000004
【図４】
0003650638.tif 000005
【図５】
0003650638.tif 000006
【図６】
0003650638.tif 000007
【図７】
0003650638.tif 000008
【図８】
0003650638.tif 000009
【図９】
0003650638.tif 000010